(57)【要約】【課題】基材または粘着剤が透明な場合などであっても、両面の識別が可能な両面粘着シートを提供する。【解決手段】基材の両面に異なる粘着剤が塗布されている両面粘着シートにおいて、粘着剤の両方の識別情報を、基材の片面に左右非対称な形態で記載する。また、両面粘着シートの両面に剥離フィルムが貼り付けられている場合には、粘着剤の両方の識別情報を、剥離フィルムの一方に左右非対称な形態で記載する。ここで、粘着剤の両方の識別情報は、左右非対称な文字列の一方は正字、他方は裏文字となるように記載される。【選択図】  図１
2005015618.tif 000002
【特許請求の範囲】
【請求項１】
基材の両面に異なる粘着剤が塗布されている両面粘着シートにおいて、
前記基材の片面に前記異なる粘着剤の識別情報がともに左右非対称な形態で記載され、前記左右非対称な文字列の一方は正字であり、他方は裏文字であることを特徴とする両面粘着シート。
【請求項２】
前記基材および前記粘着剤はともに透明であることを特徴とする、請求項１記載の両面粘着シート。
【請求項３】
基材の両面に異なる粘着剤が塗布されている両面粘着シートにおいて、
該両面粘着シートにはその両面に剥離フィルムが貼り付けられており、前記剥離フィルムの一方に前記異なる粘着剤の識別情報がともに左右非対称な形態で記載され、前記左右非対称な文字列の一方は正字であり、他方は裏文字であることを特徴とする両面粘着シート。
【請求項４】
前記基材、前記粘着剤、前記剥離フィルムはいずれも透明であることを特徴とする、請求項３記載の両面粘着シート。
【発明の詳細な説明】
【０００１】
【発明の属する技術分野】
本発明は、両面粘着シートに関し、具体的には基材の両面に種類の異なる粘着剤が塗布されている両面粘着シートに関する。
【０００２】
【従来の技術】
基材の両面に粘着剤が塗布された両面粘着シートは、２つの被着物間に介在させて両者を接着するために用いられる。また、被着物と両面粘着シートとの接着力を両面粘着シートの両面で変化させたい場合、例えば片方の被着物を簡単に両面粘着シートから取り外したい場合などには、基材の両面に異なる粘着剤が塗布された両面粘着シートが用いられる。
【０００３】
ところで、基材の両面に異なる粘着剤が塗布された両面粘着シートを用いる場合、両面の識別を可能とすることが要求される。この要求を満たすために、両面粘着シートの粘着剤の色を異ならせることが知られている（特許文献１参照）。
【０００４】
【特許文献１】実開昭６１−９０８３４号公報
【０００５】
【発明が解決しようとする課題】
しかし、特許文献１に記載された両面粘着シートにおいて、基材が透明な場合は、両面の識別が困難となる場合が生じる。特に、基材および粘着剤が透明である場合には、両面の識別はきわめて困難となる。
【０００６】
そこで、本発明は、両面粘着シートを形成する基材または粘着剤が透明な場合などであっても、両面の識別が可能な両面粘着シートを提供することを目的とする。
【０００７】
【課題を解決するための手段】
請求項１の発明は、基材の両面に異なる粘着剤が塗布されている両面粘着シートにおいて、前記基材の片面に前記異なる粘着剤の識別情報がともに左右非対称な形態で記載され、前記左右非対称な文字列の一方は正字であり、他方は裏文字であることを特徴とする。
【０００８】
請求項２の発明は、請求項１の発明において、前記基材および前記粘着剤はともに透明であることを特徴とする。
【０００９】
請求項３の発明は、基材の両面に異なる粘着剤が塗布されている両面粘着シートにおいて、該両面粘着シートにはその両面に剥離フィルムが貼り付けられており、前記剥離フィルムの一方に前記異なる粘着剤の識別情報がともに左右非対称な形態で記載され、前記左右非対称な文字列の一方は正字であり、他方は裏文字であることを特徴とする。
【００１０】
請求項４の発明は、請求項３の発明において、前記基材、前記粘着剤、前記剥離フィルムはいずれも透明であることを特徴とする。
【００１１】
【発明の実施の形態】
本発明の実施形態を、図面を用いて説明する。
【００１２】
図１は、本発明の第１の実施形態の両面粘着シートの一例を示す断面図である。図１において、両面粘着シートは、平面状の基材１の一方の面に粘着剤２Ａが、他方の面に粘着剤２Ｂがそれぞれ塗布されて形成され、その両面の粘着剤２Ａ側には剥離フィルム３Ａが、粘着剤２Ｂ側には剥離フィルム３Ｂがそれぞれ貼り付けられている。
【００１３】
また、例えば基材１の粘着剤２Ｂ側の面に、粘着剤２Ａ、２Ｂの両方の識別情報が、一方は正字、他方は裏文字となるように左右非対称な形態で記載されている。以下、粘着剤２Ａ、２Ｂの両方の識別情報が記載された面を表示面Ｄとして、本実施形態における粘着剤の識別情報の表示状態について説明する。
【００１４】
なお、以下の説明は、粘着剤２Ａとして紫外線硬化型粘着剤、粘着剤２Ｂとして非紫外線硬化型粘着剤を用いた場合の一例であり、粘着剤２Ａ、２Ｂの種類等を限定するものではない。
【００１５】
図２は、本発明の実施形態の両面粘着シートの一方の面における表示状態を示す説明図であり、図３は、本発明の実施形態の両面粘着シートの他方の面における表示状態を示す説明図である。
【００１６】
図２においては、両面粘着シートを粘着剤２Ａ側から見た場合に、粘着剤２Ａの識別情報を示す”ＵＶ  Ｓｉｄｅ”の文字列が正字で表示されており、粘着剤２Ｂの識別情報を示す”Ｎｏｎ−ＵＶ  Ｓｉｄｅ”の文字列が裏文字で表示されている。このように、両面粘着シートの粘着剤２Ａ側から見た場合に粘着剤２Ａが塗布されている面を識別することが容易に可能となる。
【００１７】
また、図３においては、両面粘着シートを粘着剤２Ｂ側から見た場合に、粘着剤２Ｂの識別情報を示す”Ｎｏｎ−ＵＶ  Ｓｉｄｅ”の文字列が正字で表示されており、粘着剤２Ａの識別情報を示す”ＵＶ  Ｓｉｄｅ”の文字列が裏文字で表示されている。このように、両面粘着シートの粘着剤２Ｂ側から見た場合に粘着剤２Ｂが塗布されている面を識別することが容易に可能となる。
【００１８】
すなわち、図２および図３に示されたように、本発明の実施形態においては、両面粘着シートの両面の粘着剤２Ａ、２Ｂが異なる場合、それぞれの面を識別することが容易に可能となる。
【００１９】
ここで、粘着剤２Ａ、２Ｂの両方の識別情報が記載される表示面Ｄは、基材１の粘着剤２Ｂ側の面のかわりに、基材１の粘着剤２Ａ側の面であってもよい。また、識別情報の記載方法は、印刷・印字等によるものでも、その他の記載方法によるものでもよい。
【００２０】
すなわち、図１に例示されたように形成された両面粘着シートは、粘着剤２Ａの側から見ると粘着剤２Ａの識別情報が正字として表示され、粘着剤２Ｂの側から見ると粘着剤２Ｂの識別情報が正字として表示されるため、両面の識別が容易な両面粘着シートとなる。
【００２１】
なお、図１において、基材１、粘着剤２Ａ、２Ｂは、いずれも可視光領域において透明であることが望ましく、剥離フィルム３Ａ、３Ｂについても可視光領域において透明であることが望ましい。このようにすると、両面の識別がいっそう容易な両面粘着シートとなる。
【００２２】
また、粘着剤２Ａ、２Ｂの両方の識別情報が記載される表示面Ｄは、基材１の片面とすることのほか、剥離フィルム３Ａ、３Ｂのうち一方とすることもできる。以下に例を挙げて説明する。
【００２３】
図４は、本発明の第２の実施形態の両面粘着シートの一例を示す断面図である。図４において、両面粘着シートは、平面状の基材１の一方の面に粘着剤２Ａが、他方の面に粘着剤２Ｂがそれぞれ塗布されて形成され、その両面の粘着剤２Ａ側には剥離フィルム３Ａが、粘着剤２Ｂ側には剥離フィルム３Ｂがそれぞれ貼り付けられている。
【００２４】
また、例えば剥離フィルム３Ｂに、粘着剤２Ａ、２Ｂの両方の識別情報が、一方は正字、他方は裏文字となるように左右非対称な形態で記載されている。図４において、表示面Ｄは、剥離フィルム３Ｂの粘着面２Ｂに接していない面（以下、「表面側」と表記する）としている。
【００２５】
ここで、粘着剤２Ａ、２Ｂの両方の識別情報が記載される表示面Ｄは、剥離フィルム３Ｂのかわりに、剥離フィルム３Ａであってもよい。また、識別情報の記載方法は、印刷・印字等によるものでも、その他の記載方法によるものでもよい。
【００２６】
図４に例示されたように形成された両面粘着シートは、粘着剤２Ａの側から見ると粘着剤２Ａの識別情報が正字として表示され、粘着剤２Ｂの側から見ると粘着剤２Ｂの識別情報が正字として表示されるため、両面の識別が容易な両面粘着シートとなる。
【００２７】
なお、図４において、基材１、粘着剤２Ａ、２Ｂ、剥離フィルム３Ａ、３Ｂは、いずれも可視光領域において透明であることが望ましい。このようにすると、両面の識別がいっそう容易な両面粘着シートとなる。
【００２８】
ここで、剥離フィルム３Ａ、３Ｂのうち、あとで剥離するほうに粘着剤２Ａ、２Ｂの両方の識別情報を記載すると、作業中にも両面の識別が容易となる点で望ましい。また、剥離フィルム３Ａ、３Ｂのいずれかに粘着剤２Ａ、２Ｂの両方の識別情報を記載して表示面Ｄを形成する場合、剥離フィルム３Ａ、３Ｂのいずれかの表面側に記載することにより、粘着剤２Ａ、２Ｂの汚染を防止し、さらに粘着剤２Ａ、２Ｂの被着物の汚染を防止する観点から望ましい。
【００２９】
なお、本発明の実施形態は、上述した各形態に限らず、特許請求の範囲に記載された事項の範囲内で変更が可能であることはいうまでもない。
【００３０】
【発明の効果】
以上のとおり、本発明によれば、基材の両面に異なる粘着剤が塗布されている両面粘着シートにおける両面の識別が容易となる。特に、基材および粘着剤が透明な場合には、両面の識別がさらに容易となる。
【図面の簡単な説明】
【図１】本発明の第１の実施形態の両面粘着シートの一例を示す断面図である。
【図２】本発明の実施形態の両面粘着シートの一方の面における表示状態を示す説明図である。
【図３】本発明の実施形態の両面粘着シートの他方の面における表示状態を示す説明図である。
【図４】本発明の第２の実施形態の両面粘着シートの一例を示す断面図である。
【符号の説明】
１  基材
２Ａ、２Ｂ  粘着剤
３Ａ、３Ｂ  剥離フィルム
Ｄ  表示面
【図１】
2005015618.tif 000003
【図２】
2005015618.tif 000004
【図３】
2005015618.tif 000005
【図４】
2005015618.tif 000006